(57)【要約】【課題】被検体が動く場合でも、センサー部を所与の圧力で被検体に押し付けた状態を維持することができる生体情報検出装置を提供する。【解決手段】生体情報検出装置１００は、第１面としての上面１１ｆ（１２ｆ）を含むバンド本体１１（１２）と、前記バンド本体に接続され、前記上面に沿って形状が変化する第１の伸縮部２１，２２と、前記バンド本体に接続され、前記上面と交差する平面に沿って形状が変化する第２の伸縮部３１０，３２０と、を含む。【選択図】図１Ｂ
2017153767.tif 000002
【特許請求の範囲】
【請求項１】
第１面を含むバンド本体と、
前記バンド本体に接続され、前記第１面に沿って形状が変化する第１の伸縮部と、
前記バンド本体に接続され、前記第１面と交差する平面に沿って形状が変化する第２の伸縮部と、
を含むことを特徴とするバンド。
【請求項２】
前記第２の伸縮部は、前記バンド本体側に一方の端部を有し、
前記一方の端部にあって前記第１面と交差する方向に突出する突起部を有し、
前記バンド本体は、前記突起部に対応する位置に凹部を有し、
前記突起部は、前記凹部に挿入されることを特徴とする請求項１に記載のバンド。
【請求項３】
前記一方の端部には、
第１の壁部と、
前記第１の壁部と対向する第２の壁部と、
前記バンド本体を被装着体に装着した場合に、前記第１の壁部および前記第２の壁部の前記被装着体に対向する側において前記第１の壁部と前記第２の壁部とを接続する第３の壁部と、が設けられ、
前記突起部は、前記第３の壁部から突出していることを特徴とする請求項２に記載のバンド。
【請求項４】
前記突起部は、
先端部に、前記バンド本体側に向かって前記第３の壁部からの高さが減少する傾斜面を有することを特徴とする請求項３に記載のバンド。
【請求項５】
前記第２の伸縮部の材質と、前記第１の伸縮部の材質とは互いに異なることを特徴とする請求項１ないし請求項４のいずれか一項に記載のバンド。
【請求項６】
前記第２の伸縮部は、前記バンド本体部に対して脱着可能であることを特徴とする請求項１ないし請求項５のいずれか一項に記載のバンド。
【請求項７】
ケースと、
第１面を含むバンド本体と、
前記バンド本体に接続され、前記第１面に沿って形状が変化する第１の伸縮部と、
前記第１面と交差する平面に沿って形状が変化する第２の伸縮部とを含み、前記ケースに接続されたバンドと、
を備えていることを特徴とする身体装着型の電子機器。
【請求項８】
前記ケースは、第１の孔部を有し、
前記第１の伸縮部は、第２の孔部を有する第１の端部を含み、
前記第２の伸縮部は、第３の孔部を有する第２の端部を含み、
前記第１の伸縮部と前記第２の伸縮部とは、前記第１の孔部、前記第２の孔部、および前記第３の孔部に挿通される棒部材によって、前記ケースに接続されていることを特徴とする請求項７に記載の身体装着型の電子機器。
【請求項９】
前記第２の伸縮部は、
前記一方の端部に前記第１面と交差する方向に突出する突起部を備え、
前記バンド本体は、前記突起部に対応する位置に凹部を備え、
前記突起部は、前記凹部に挿入されることを特徴とする請求項７または請求項８に記載の身体装着型の電子機器。
【発明の詳細な説明】
【技術分野】
【０００１】
本発明は、バンド、およびバンドを備えた身体装着型の電子機器に関する。
【背景技術】
【０００２】
近年、センシング技術の向上により腕時計型の活動計（生体情報検出装置）が各社から多く商品化されてきている。そして、このような活動計やウォッチ（時計）等を、例えば被検体の腕などに固定するために用いるバンドも発明されている。そのような従来技術としては、例えば特許文献１に記載される技術が開示されている。
【０００３】
特許文献１に記載される発明では、同文献の図１に示されているように、バンドに伸縮性があり、腕径の変化に対応しやすい形状となっている。具体的には、バンドの長手方向に伸長しやすい形状になっているため、活動計の裏面に設けられたセンサー部を所定圧力で肌表面に密着させることができる。
【先行技術文献】
【特許文献】
【０００４】
【特許文献１】特開２０１２−９０９７５号公報
【発明の概要】
【発明が解決しようとする課題】
【０００５】
しかしながら、近年は、従来の活動計（例えば脈拍計）のみならず、例えばＧＰＳ搭載のランニングウォッチ等、激しい動きをする際に用いられるスポーツ機器でも、生体情報をセンシングする必要が高まっている。また、活動計を用いた装着であっても、終日装着して計測を行う機種もあり、スポーツ機器と同様の状況が生じうる。特許文献１において開示されているバンドを、そのような激しい動きをする際に用いる機器に使用すると、激しい腕の振り等によって機器本体に大きな重力加速度が掛かり、バンドに設けた伸縮部に伸長方向とは異なる方向の力が作用することがある。その結果、機器本体が腕の動きに合わせて揺れたり、捻れたり、あるいは傾いたりしてしまう。この場合、機器本体の裏蓋に配置されたセンサー部を肌表面に密着させた状態を維持させることが出来ず、センサー信号の誤検出などの生じる虞がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るバンドは、第１面を含むバンド本体と、前記バンド本体に接続され、前記第１面に沿って形状が変化する第１の伸縮部と、前記バンド本体に接続され、前記第１面と交差する平面に沿って形状が変化する第２の伸縮部と、を含むことを特徴とする。
【０００８】
本適用例に記載のバンドによれば、それぞれ異なる平面に沿って形状が変化する第１の伸縮部および第２の伸縮部により、種々の方向に対する伸縮が可能となるので、第１の伸縮部および第２の伸縮部を含む伸縮部の強度を強くすることができる。これにより、伸縮部の破損などによるバンドの不具合の発生を抑制することが可能となる。
【０００９】
［適用例２］上記適用例に記載のバンドにおいて、前記第２の伸縮部は、前記バンド本体側に一方の端部を有し、前記一方の端部にあって前記第１面と交差する方向に突出する突起部を有し、前記バンド本体は、前記突起部に対応する位置に凹部を有し、前記突起部は、前記凹部に挿入されることが好ましい。
【００１０】
本適用例によれば、第２の伸縮部は、第１面と交差する方向に端部から突出する突起部が、バンド本体の凹部に挿入されることによってバンド本体に接続されるため、容易に且つ確実に接続することが可能となる。
【００１１】
［適用例３］上記適用例に記載のバンドにおいて、前記一方の端部には、第１の壁部と、前記第１の壁部と対向する第２の壁部と、前記バンド本体を被装着体に装着した場合に、前記第１の壁部および前記第２の壁部の前記被装着体に対向する側において前記第１の壁部と前記第２の壁部とを接続する第３の壁部と、が設けられ、前記突起部は、前記第３の壁部から突出していることが好ましい。
【００１２】
本適用例によれば、被装着体側に位置する第３の壁部から突出する突起部が、バンド本体の凹部に挿入されるため、底面側（被装着体に対向する側）を内側にバンド本体が湾曲するように変形されても、凹部から突起部が抜けてしまうことを防止することが可能となる。
【００１３】
［適用例４］上記適用例に記載のバンドにおいて、前記突起部は、先端部に、前記バンド本体側に向かって前記第３の壁部からの高さが減少する傾斜面を有することが好ましい。
【００１４】
本適用例によれば、第２の伸縮部をバンド本体側に向かって嵌め込んで取り付ける場合に、障害となる部位に対して傾斜面を倣わせながら嵌め込むことができ、嵌め込み作業を行い易くすることが可能となる。
【００１５】
［適用例５］上記適用例に記載のバンドにおいて、前記第２の伸縮部の材質と、前記第１の伸縮部の材質とは互いに異なることが好ましい。
【００１６】
本適用例によれば、第１の伸縮部および第２の伸縮部の強度や変形具合を変えることができ、種々の方向から加わる力などに対する耐久性を高めることが可能となる。
【００１７】
［適用例６］上記適用例に記載のバンドにおいて、前記第２の伸縮部は、前記バンド本体部に対して脱着可能であることが好ましい。
【００１８】
本適用例によれば、第２の伸縮部を取り換えることにより伸縮部の強度などを容易に変更することが可能となる。換言すれば、第１の伸縮部および第２の伸縮部を含む伸縮部の仕様の自由度を増すことが可能となる。
【００１９】
［適用例７］本適用例に記載の身体装着型の電子機器は、ケースと、第１面を含むバンド本体と、前記バンド本体に接続され、前記第１面に沿って形状が変化する第１の伸縮部と、前記第１面と交差する平面に沿って形状が変化する第２の伸縮部とを含み、前記ケースに接続されたバンドと、を備えていることを特徴とする。
【００２０】
本適用例によれば、それぞれ異なる平面に沿って形状が変化する第１の伸縮部および第２の伸縮部により、ケースを被装着体に接続する場合や接続した後に加わる力に対して、種々の方向に伸縮が可能となると共に、伸縮部の強度を強くすることができる。これにより、伸縮部の破損などの不具合の発生を抑制することが可能となる。また、第１の伸縮部および第２の伸縮部を含む伸縮部が安定して変形することにより、ケースの過度な動きを抑制することができ、装着感（フィット感）を高めることが可能となる。
【００２１】
［適用例８］上記適用例に記載の身体装着型の電子機器において、前記ケースは、第１の孔部を有し、前記第１の伸縮部は、第２の孔部を有する第１の端部を含み、前記第２の伸縮部は、第３の孔部を有する第２の端部を含み、前記第１の伸縮部と前記第２の伸縮部とは、前記第１の孔部、前記第２の孔部、および前記第３の孔部に挿通される棒部材によって、前記ケースに接続されていることが好ましい。
【００２２】
本適用例によれば、これにより、ケースと第１の伸縮部および第２の伸縮部を含む伸縮部との相対的な位置ずれを容易に防ぐこと等が可能になる。
【００２３】
［適用例９］上記適用例に記載の身体装着型の電子機器において、前記第２の伸縮部は、前記一方の端部に前記第１面と交差する方向に突出する突起部を備え、前記バンド本体は、前記突起部に対応する位置に凹部を備え、前記突起部は、前記凹部に挿入されることが好ましい。
【００２４】
本適用例によれば、第２の伸縮部は、第１面と交差する方向に突出する突起部が、バンド本体の凹部に挿入されることによってバンド本体に接続されるため、容易に且つ確実にバンド本体に接続することが可能となる。また、第２の伸縮部を取り換えることにより伸縮部の強度などを容易に可変することが可能であり、換言すれば、第１の伸縮部および第２の伸縮部を含む伸縮部の構成に係る自由度を増すことが可能となる。
【図面の簡単な説明】
【００２５】
【図１Ａ】身体装着型の電子機器の第１実施形態に係る生体情報検出装置の構成例を示す上面（表面）斜視図。
【図１Ｂ】第１実施形態に係る生体情報検出装置の下面（裏面）斜視図。
【図２Ａ】従来の生体情報検出装置の構成例を示す上面斜視図。
【図２Ｂ】従来の生体情報検出装置の構成例を示す下面斜視図。
【図３Ａ】従来の生体情報検出装置の問題点の説明図。
【図３Ｂ】従来の生体情報検出装置の問題点の説明図。
【図３Ｃ】従来の生体情報検出装置の問題点の説明図。
【図４Ａ】第２の伸縮部の詳細な構成例を示す正面斜視図。
【図４Ｂ】第２の伸縮部の詳細な構成例を示す背面斜視図。
【図５Ａ】自然長であるときの第１の伸縮部と第２の伸縮部を示す平面図。
【図５Ｂ】伸長したときの第１の伸縮部と第２の伸縮部を示す平面図。
【図５Ｃ】第２の伸縮部の変形（伸縮）を説明する図５ＡのＢ−Ｂ断面図。
【図６Ａ】身体装着型の電子機器の第２実施形態に係る生体情報検出装置の構成例を示す上面（表面）斜視図。
【図６Ｂ】第２実施形態に係る生体情報検出装置の下面（裏面）斜視図。
【図７Ａ】バンド（第１の伸縮部）および第２の伸縮部のケースへの取付けを説明する上面斜視図。
【図７Ｂ】バンド（第１の伸縮部）および第２の伸縮部のケースへの取付けを説明する平面図（上面図）。
【図８】第２の伸縮部の変形例１の構成を示す図５ＡのＡ−Ａ断面に相当する断面図。
【図９Ａ】第２の伸縮部の変形例２の構成を示す正面斜視図。
【図９Ｂ】第２の伸縮部の変形例２の構成を示す背面斜視図。
【発明を実施するための形態】
【００２６】
以下、本実施形態について説明する。なお、以下で説明する本実施形態は、特許請求の範囲に記載された本発明の内容を不当に限定するものではない。また、本実施形態で説明される構成の全てが、本発明の必須構成要件であるとは限らない。
【００２７】
（第１実施形態）
図１Ａおよび図１Ｂを用いて、本発明の身体装着型の電子機器の第１実施形態に係る生体情報検出装置１００の構成例について説明する。図１Ａには、本発明の身体装着型の電子機器としての生体情報検出装置１００の上面（表面）側からの斜視図を示し、図１Ｂには、本発明の身体装着型の電子機器としての生体情報検出装置１００の下面（裏面）側からの斜視図を示す。なお、本明細書においては、電子機器の表示面側を上または表、表示面とは反対側（装着時に被検体に接する側）を下または裏として説明する。
【００２８】
身体装着型の電子機器としての生体情報検出装置１００は、被検体（被装着体）に装着され、被検体（被装着体）の生体情報を検出するセンサー部９０が設けられるケースとしてのケース部３０と、ケース部３０に取り付けられるバンドとしてのバンド部（第１のバンド部３１および第２のバンド部３２）と、を含む。以下、第１のバンド部３１および第２のバンド部３２を総称してバンド部３１（３２）ということがある。なお、ケース部３０は、トップケースおよびボトムケースを有する構成であってもよい。また、以下では、バンド部３１（３２）の長手方向を第１の方向（図５ＢにＤＲ１として示す）、第１の方向と交差するバンド部３１（３２）の幅方向を第２の方向（図５ＢにＤＲ２として示す）、バンド本体１１の上面１１ｆと交差する平面方向を第３の方向（図５ＣにＤＲ３として示す）として説明する。
【００２９】
さらに、生体情報検出装置１００は、固定部（遊革、定革）４０と、連結部（美錠）５０と、表示部７０と、操作部８０と、センサー部９０と、を含む。但し、生体情報検出装置１００は、図１Ａおよび図１Ｂの構成に限定されず、これらの一部の構成要素を省略したり、他の構成要素を追加したりするなどの種々の変形実施が可能である。
【００３０】
そして、バンド部３１（３２）は、バンド本体（第１のバンド本体１１および第２のバンド本体１２）と、第１の伸縮部２１，２２と、第２の伸縮部３１０，３２０と、を有する。以下、第１のバンド本体１１および第２のバンド本体１２を総称してバンド本体１１（１２）ということがある。そして、バンド本体１１（１２）は、第１の伸縮部２１，２２および第２の伸縮部３１０，３２０を介してケース部３０に接続されている。
【００３１】
具体的に、第１のバンド部３１は、ケース部３０の一端に取り付けられている。第１のバンド部３１は、第１面としての上面１１ｆおよび反対面の下面１１ｒを有し、第１のバンド部３１の長手方向である第１の方向に沿って延在する第１のバンド本体１１と、ケース部３０側の第１のバンド本体１１に接続され、第１面としての上面１１ｆ（第１の方向）に沿って伸長可能な第１の伸縮部２１と、ケース部３０側の第１のバンド本体１１に接続され、上面１１ｆと交差する平面（第３の方向）に沿って形状の変化が可能な第２の伸縮部３１０とを含む。
【００３２】
また、第２のバンド部３２は、ケース部３０の他端に取り付けられる。第２のバンド部３２は、第１面としての上面１２ｆおよび反対面の下面１２ｒを有し、第２のバンド部３２の長手方向である第１の方向に沿って延在する第２のバンド本体１２と、ケース部３０側の第２のバンド本体１２に接続され、第１面としての上面１１ｆ（第１の方向）に沿って伸長する第１の伸縮部２２と、ケース部３０側の第２のバンド本体１２に接続され、上面１２ｆと交差する平面に沿って形状が変化することの可能な第２の伸縮部３２０とを含む。
【００３３】
なお、図１Ａおよび図１Ｂの例では、第２の伸縮部３１０，３２０が第１の伸縮部２１，２２の一部を遮蔽し、外部から直視できないようにしているため、第１の伸縮部２１，２２を点線で図示している。図示のように、第１の伸縮部２１，２２は、バンド部３１（３２）から折り曲げ状（折り返しのある形状）の伸縮部分を備え、その伸縮部分が上面１１ｆ（第１の方向）に沿って伸長する。
【００３４】
そして、連結部（美錠）５０は、第１のバンド部３１および第２のバンド部３２を連結する。固定部（遊革、定革）４０は、第１のバンド部３１および第２のバンド部３２が連結された状態で、第１のバンド本体１１を第２のバンド本体１２に沿って固定する。
【００３５】
また、ケース部３０に配置されている表示部７０は、各種情報を表示する。操作部８０は、ユーザーによる操作を受け付ける。センサー部９０は、ケース部３０の裏蓋（裏面）に設けられ、被検体に押し当てられた状態で、被検体の生体情報を検出する。
【００３６】
（従来の生体情報検出装置の構成例）
一方、前述した特許文献１においては、図２Ａおよび図２Ｂに示すような生体情報検出装置１００ａが例示されている。なお、図２Ａは、従来の生体情報検出装置の構成例を示す上面斜視図であり、図２Ｂは、従来の生体情報検出装置の構成例を示す下面斜視図である。図２Ａおよび図２Ｂに示す生体情報検出装置１００ａは、図１Ａおよび図１Ｂに示す生体情報検出装置１００とは異なり、第２の伸縮部３１０，３２０を有していない。
【００３７】
前述したように、図２Ａおよび図２Ｂに示すようなバンドを有する生体情報検出装置１００ａでは、激しい腕の振り等によって機器本体に大きな重力加速度が掛かり、バンド部１１ａ（１２ａ）に設けた第１の伸縮部２１ａ（２２ａ）に伸長方向とは異なる方向の力が作用することがある。その結果、機器本体（ケース３０ａ）が腕の動きに合わせて揺れたり、捻れたり、あるいは傾いたりしてしまう。
【００３８】
このような問題点について、図３Ａ、図３Ｂ、および図３Ｃを参照して説明する。例えば、図３Ａ〜図３Ｃには、従来の生体情報検出装置の問題点の一例を示している。図３Ａには、非伸長時のバンドＢＤと被検体表面ＳＦを図示している。この状態から、第１の伸縮部２１ａ，２２ａの伸長方向（後述する第１の方向ＤＲ１）にバンドＢＤが伸長した際には、図３Ｂの状態となる。図３Ｂの状態では、図３Ａと同様に、センサー部ＳＥが被検体表面ＳＦに密着しているため、正常にセンサー信号を取得することができ、問題を生じることがない。
【００３９】
一方、図３Ｃに示すように、第１の伸縮部２１ａ，２２ａの伸長方向（第１の方向ＤＲ１）とは異なる方向（第２の方向ＤＲ２）に力が作用した場合には、センサー部ＳＥが被検体表面ＳＦからＰ１で示すように、浮き上がってしまう。そのため、センサー部ＳＥが正常にセンサー信号を取得することができず、問題となる。また、このような動作を繰り返すことにより、第１の伸縮部２１ａ，２２ａの疲労が進み破損してしまう虞もあった。
【００４０】
そこで、本実施形態では、図１Ａおよび図１Ｂに示すように、第１面としての上面１１ｆ，１２ｆに沿った方向に伸長する第１の伸縮部２１，２２に加えて、該第１の伸縮部２１，２２の伸長方向とは異なる方向である上面１１ｆ，１２ｆと交差する平面に沿った方向に形状を変化させることの可能な第２の伸縮部３１０，３２０を設けている。
【００４１】
第１の伸縮部２１，２２は、バンド本体１１（１２）と一体的に形成され、バンド本体１１（１２）のケース部３０側にあって、バンド本体１１（１２）から延設されている。また、ケース部３０側に位置する端部（第１の端部）２７，２８（図７Ａ参照）には、図１Ａおよび図１Ｂでは図示されていないが、平面視で中央部に、第２の伸縮部３１０，３２０の他方の端部３１２，３２２（図７Ａ参照）を配置するための切欠き２５，２６（図７Ａ参照）が設けられ、その切欠き２５，２６の両側にケース部３０に接続するための孔部（図７Ａに示す孔部ＨＬ２，ＨＬ３）が設けられている。第１の伸縮部２１，２２は、バンド本体１１（１２）側と端部（第１の端部）２７，２８との間に、平面視でＵ字状に折り返された部分を有し、この折り返された部分が伸縮することにより、第１面としての上面１１ｆ，１２ｆ（第１の方向）に沿って伸縮することができる。
【００４２】
なお、第１の伸縮部２１，２２は、バンド本体１１（１２）と一体的に形成される構成に限らず、第１の伸縮部２１，２２とバンド本体１１（１２）とが別体で構成され、第１の伸縮部２１，２２が、端部（第１の端部）２７，２８と反対側の端の位置でバンド本体１１（１２）に接続される構成でもよい。
【００４３】
第２の伸縮部３１０，３２０は、図４Ａおよび図４Ｂに示すように、バンド本体１１（１２）（図１Ａ、図１Ｂ参照）側に配置された一方の端部３３０，３４０と、一方の端部３３０，３４０と反対側（ケース部３０側）に配置された他方の端部（第２の端部）３１２，３２２と、一方の端部３３０，３４０と他方の端部３１２，３２２とを接続する接続部３１１，３２１と、を備えている。なお、第２の伸縮部３１０，３２０は、第１の伸縮部２１，２２のそれぞれに対応して配置される。
【００４４】
一方の端部３３０，３４０は、第１の壁部３３２，３４２と、第２の壁部３３３，３４３と、第３の壁部３３１，３４１と、第４の壁部３３４，３４４と、二つの突起部２１７，２２７と、を備えている。第１の壁部３３２，３４２および第２の壁部３３３，３４３は、バンド本体１１（１２）を被装着体としての被検体（図４Ａ、図４Ｂでは不図示）に装着した場合に、被検体に交差する方向に対向して配置されている。また、第３の壁部３３１，３４１は、被検体（不図示）に対向する側において第１の壁部３３２，３４２と第２の壁部３３３，３４３とを接続している。そして、第４の壁部３３４，３４４は、第３の壁部３３１，３４１と対向して配置され、第１の壁部３３２，３４２と第２の壁部３３３，３４３とを接続している。
【００４５】
そして、第２の伸縮部３１０，３２０は、第１の壁部３３２，３４２と、第２の壁部３３３，３４３と、第３の壁部３３１，３４１と、第４の壁部３３４，３４４とによってリング状に構成された一方の端部３３０，３４０を、第１の伸縮部２１，２２およびバンド本体１１（１２）の外周を囲むように配置され、突起部２１７，２２７によりバンド部３１（３２）に接続される。
【００４６】
本形態では、上述のように、第３の壁部３３１，３４１が、被検体（不図示）に対向する側に設けられている。換言すれば、第２の伸縮部３１０，３２０は、バンド部３１（３２）を被検体の生体面（不図示）に装着した場合に、第３の壁部３３１，３４１によって被検体の生体面（不図示）に接する位置に設けられている。このように、センサー部９０を被検体の生体面（不図示）に押しつけて、バンド部３１（３２）を巻き付けたときに、第２の伸縮部３１０，３２０の第３の壁部３３１，３４１も被検体の生体面に押しつけられ、第３の壁部３３１，３４１と被検体の生体面との間に摩擦力が働くことができる。
【００４７】
突起部２１７，２２７は、第１の伸縮部２１，２２に隣り合う領域のバンド本体１１（１２）に対向する第３の壁部３３１，３４１に配置され、第３の壁部３３１，３４１から第４の壁部３３４，３４４に向かって突出している。突起部２１７，２２７は、第３の壁部３３１，３４１のそれぞれに、第２の方向ＤＲ２（図５Ｂ参照）に二つずつ並んで配置され、概ね矩形状の断面を有し、第３の壁部３３１，３４１と反対側に先端部を有している。そして、突起部２１７，２２７が、バンド本体１１（１２）に設けられた凹部としての貫通孔１１７（図５Ａ参照）に挿入されることによって、第２の伸縮部３１０，３２０が、バンド部３１（３２）に接続される。なお、突起部２１７，２２７の断面形状は、矩形状に限らず、例えば円形状や楕円形状などの他の形状であってもよい。
【００４８】
上述のように突起部２１７，２２７が、バンド本体１１（１２）に設けられた貫通孔１１７（図５Ａ参照）に挿入されて、第２の伸縮部３１０，３２０とバンド部３１（３２）とが接続されることにより、接続をより確実に行うことができる。具体的には、ケース部３０を被検体（不図示）に押し付けようとしてバンド部３１（３２）が湾曲しても、バンド本体１１（１２）および第２の伸縮部３１０，３２０の第３の壁部３３１，３４１は、それぞれ同じ方向に湾曲するため、貫通孔１１７から突起部２１７，２２７が抜けたり、抜け易くなったりすることを防止することが可能となる。
【００４９】
また、突起部２１７（２２７）の先端部は、ケース部３０側からバンド本体１１（１２）側、換言すればケース部３０側から被検体側に向かって第３の壁部３３１，３４１からの高さが減少する傾斜面ＦＴを有することが好ましい。なお、本形態では、二つの突起部２１７（２２７）が、第２の方向ＤＲ２（図５Ｂ参照）に並んで設けられている構成を例示したが、突起部２１７（２２７）の数、もしくは配置位置などは、これに限られるものではない。
【００５０】
このように、突起部２１７，２２７の先端部に傾斜面ＦＴが設けられていることにより、第２の伸縮部３１０，３２０をバンド部３１（３２）に嵌め込み易くすることが可能となる。具体的には、第２の伸縮部３１０，３２０をバンド本体１１（１２）側に向かって第１の伸縮部２１，２２の外側を通って嵌め込む場合に、第１の伸縮部２１，２２の各部位など嵌め込みに障害となる部位に対して傾斜面ＦＴを倣わせながら嵌め込むことができる。加えて、バンド本体１１（１２）に設けられている第２の伸縮部３１０，３２０を固定するための凹部としての貫通孔１１７（図５Ａ参照）に、突起部２１７（２２７）を嵌入する際に、傾斜面ＦＴをガイド面とすることができ、嵌入を行い易くすることができる。
【００５１】
第２の伸縮部３１０，３２０の他方の端部３１２，３２２は、第２の方向ＤＲ２（図５Ｂ参照）に貫通する孔部ＨＬ３を有している。孔部ＨＬ３は、図７Ａ，図７Ｂに示して後述する第２の伸縮部３１０，３２０をケース部３０に取り付けるときの、取り付け位置に配置され、棒部材（バネ棒）ＢＢが挿通される貫通孔である。
【００５２】
接続部３１１，３２１は、一方の端部３３０，３４０と他方の端部３１２，３２２との間に位置し、第１の方向に沿って、一方の端部３３０，３４０と他方の端部３１２，３２２とを接続している。接続部３１１，３２１は、バンド部３１（３２）の上面１１ｆ，１２ｆに沿って広がる板状をなし、上面１１ｆ，１２ｆと交差する方向に湾曲している。接続部３１１，３２１は、この湾曲部分で第１面としての上面１１ｆ，１２ｆと交差する平面に沿った方向（第３の方向）に形状を変化させることにより、第１方向への伸縮を行うことができる。
【００５３】
このような、第２の伸縮部３１０，３２０は、例えばウレタン樹脂やシリコーン樹脂などの可撓性を有する樹脂、もしくは、例えば、リン青銅、ベリリウム銅、ばね用鋼、ばね用ステンレスなどの板バネ材料で構成することができる。なお、一方の端部３３０，３４０、他方の端部３１２，３２２、および接続部３１１，３２１は、同一材料で一体的に構成されていてもよいし、異なる材料で構成されていてもよい。
【００５４】
バンド部３１（３２）は、図５Ａに示すように、第１の伸縮部２１，２２に隣り合う領域のバンド本体１１（１２）に設けられた凹部としての二つの貫通孔１１７を有している。二つの貫通孔１１７は、前述した第２の伸縮部３１０，３２０の突起部２１７，２２７に対応して設けられる。なお、貫通孔１１７は、第１のバンド本体１１および第２のバンド本体１２の表裏面を貫通する貫通孔に限らず、第２の伸縮部３１０，３２０の突起部２１７，２２７を挿入可能な有底の凹部とすることができる。また、貫通孔１１７の数、もしくは配置位置などは、本例に限られるものではない。
【００５５】
身体装着型の電子機器の第１実施形態に係る生体情報検出装置１００のバンド部３１（３２）における、第１の伸縮部２１，２２と第２の伸縮部３１０，３２０との関係を、図５Ａ、図５Ｂ、および図５Ｃを参照して説明する。図５Ａは、自然長であるときの第１の伸縮部と第２の伸縮部を示す平面図である。図５Ｂは、伸長したときの第１の伸縮部と第２の伸縮部を示す平面図である。図５Ｃは、第２の伸縮部の変形（伸縮）を説明する図５ＡのＢ−Ｂ断面図である。
【００５６】
図５Ａおよび図５Ｂに示すように、第２の伸縮部３１０，３２０は、バンド本体１１（１２）の貫通孔１１７に突起部２１７，２２７が嵌入されることによってバンド本体１１（１２）に接続されている。図５Ａに示すように、第２の伸縮部３１０，３２０の一方の端部３３０，３４０は、バンド本体１１（１２）の貫通孔１１７に対向するとともに、力が加わっていない場合の自然長である第１の伸縮部２１，２２の一部を覆うように配置されている。第２の伸縮部３１０，３２０のケース部３０側に位置する他方の端部３１２，３２２は、第２の方向ＤＲ２（図５Ｂ参照）に貫通する孔部ＨＬ３（図７Ａ参照）に挿通される棒部材（バネ棒）ＢＢ（図７Ａ参照）によってケース部３０に取り付けられている。
【００５７】
接続部３１１，３２１の、第１の伸縮部２１，２２の伸長方向（第１の方向ＤＲ１）の平面視（上面視）における長さＬ１は、自然長である第１の伸縮部２１，２２の長さＬ０に基づいて設定される。詳細には、力が加わっていない場合の自然長の第１の伸縮部２１，２２の長さＬ０に、一方の端部３３０，３４０のバンド本体１１（１２）に重なる部分の長さＬ４を加えることによって第２の伸縮部３１０，３２０の全長Ｌ３が設定される。そして、その全長Ｌ３から一方の端部３３０，３４０の長さと他方の端部３１２，３２２の長さとを減算することによって、平面視（上面視）での接続部３１１，３２１の長さＬ１を設定することができる。そして、第１の方向ＤＲ１への伸長量に基づいて湾曲形状を求め、第２の伸縮部３１０，３２０の構成を定めることができる。
【００５８】
また、図５Ｂに示すように、第１の伸縮部２１，２２が伸長方向（第１の方向ＤＲ１）に伸長した場合、第２の伸縮部３１０，３２０は、接続部３１１，３２１の湾曲形状が伸ばされるように変形することによって、伸長方向（第１の方向ＤＲ１）に伸長する。このことについて、図５Ｃを用いて詳細に説明する。
【００５９】
第１の伸縮部２１，２２が自然長となっている場合において、第２の伸縮部３１０，３２０の接続部３１１，３２１は、図５Ｃに二点鎖線で示されているように、湾曲状をなしている。そして、第１の伸縮部２１，２２が伸長方向（第１の方向ＤＲ１）に伸長した場合は、接続部３１１，３２１が伸長方向（第１の方向ＤＲ１）に引っ張られる。上述したように、第２の伸縮部３１０，３２０の接続部３１１，３２１は、バンド部３１（３２）の上面１１ｆ，１２ｆと交差する平面に沿った方向（第３の方向ＤＲ３）に変形可能であるため、この引っ張り力によって、湾曲部分が、第３の方向ＤＲ３に変形（移動量Ｄ１）し、それとともに伸長方向（第１の方向ＤＲ１）に伸長することができる。なお、図５Ｃにおいて、第３の方向ＤＲ３が、第１の方向ＤＲ１に対して直交（垂直）する例を示しているが、第３の方向ＤＲ３は、必ずしも第１の方向ＤＲ１に対して直交していなくてもよい。
【００６０】
なお、接続部３１１，３２１は、バンド部３１（３２）の上面１１ｆ，１２ｆに沿って薄板状に延展されているため、第３の方向ＤＲ３には変形し易いが、図５Ｂに示す第２の方向ＤＲ２には比較的変形し難い。これにより、第１の伸縮部２１，２２の、伸長方向（第１の方向ＤＲ１）以外の方向への動き、例えば第２の方向ＤＲ２への動きを抑制することができる。
【００６１】
上述のような構成のバンド部３１（３２）、およびバンド部３１（３２）を用いた身体装着型の生体情報検出装置１００によれば、それぞれ異なる平面に沿って形状が変化する第１の伸縮部２１，２２、および第２の伸縮部３１０，３２０の二つの伸縮部により、種々の方向に対する伸縮が可能となるので、第１の伸縮部２１，２２および第２の伸縮部３１０，３２０を含む伸縮部の強度を強くすることができる。これにより、伸縮部の破損などによるバンド部３１（３２）の不具合の発生を抑止することが可能となる。
【００６２】
また、第１の伸縮部２１，２２、および第２の伸縮部３１０，３２０により、例えば被検体（被装着体）の腕の周径に合わせて、バンド部３１（３２）を伸張させて、センサー部９０を所与の圧力で被検体に押し当てること等が可能になる。また、被検体が生体情報検出装置１００を装着している間に、バンド部３１（３２）を巻き付けた部位の周径が変わった場合にも、第１の伸縮部２１，２２、および第２の伸縮部３１０，３２０を自動的に伸長させて、センサー部９０を被検体に所与の圧力で押しつける状態を維持すること等も可能である。
【００６３】
また、第２の伸縮部３１０，３２０により、第１の伸縮部２１，２２の、伸長方向（第１の方向ＤＲ１）以外の方向への動き、例えば第２の方向ＤＲ２への動きを抑制することが可能となる。これにより、第１の伸縮部２１，２２が過度に捩じれたり傾いたりすることを防ぐことができ、過度の捩じれや傾きによる第１の伸縮部２１，２２の破損を抑制することが可能となる。また、被検体が動く場合でも、センサー部９０を所与の圧力で被検体に押し付けた状態を維持することが可能となり、その結果、センサー信号の誤検出を防ぐことが可能となる。
【００６４】
なお、第２の伸縮部３１０，３２０の材質と、第１の伸縮部２１，２２の材質とを、互いに異なる材質とすることとしてもよい。例えば、第１の伸縮部２１，２２に材質を、柔軟性を有する材質にし、第２の伸縮部３１０，３２０を第１の伸縮部２１，２２と比して硬質な材質とする。また、第１の伸縮部２１，２２を、ウレタン樹脂やシリコーン樹脂などの可撓性を有する樹脂で形成し、第２の伸縮部３１０，３２０をリン青銅、ベリリウム銅などの板バネ材料を用いて形成することとしてもよい。
【００６５】
このように、第１の伸縮部２１，２２と第２の伸縮部３１０，３２０との材質や材料を異ならせることにより、第１の伸縮部２１，２２および第２の伸縮部３１０，３２０の強度や変形具合を変えることができ、種々の方向から加わる力などに対する耐久性を高めることが可能となる。また、所定方向以外への変形を抑制することが可能となる。
【００６６】
また、第２の伸縮部３１０，３２０は、バンド本体１１（１２）に対して、容易に脱着することが可能な構成とすることができる。例えば、突起部２１７，２２７が設けられた第３の壁部３３１，３４１と対向する第４の壁部３３４，３４４を設けない構成とすることにより、突起部２１７，２２７をバンド本体１１（１２）から容易に離脱することができたり、取り付けたりすることが可能となる。
【００６７】
このように、第２の伸縮部３１０，３２０を容易に取り換えることができれば、第１の伸縮部２１，２２および第２の伸縮部３１０，３２０を含む伸縮部の強度や変形形態を容易に変更することが可能となる。換言すれば、伸縮部の仕様の自由度を増すことが可能となる。
【００６８】
（第２実施形態）
次に、図６Ａおよび図６Ｂを用いて、本発明の身体装着型の電子機器の第２実施形態に係る生体情報検出装置１０１の構成例について説明する。図６Ａには、本発明の身体装着型の電子機器としての生体情報検出装置１０１の上面（表面）側からの斜視図を示し、図６Ｂには、本発明の身体装着型の電子機器としての生体情報検出装置１０１の下面（裏面）側からの斜視図を示す。
【００６９】
上述の第１実施形態に係る生体情報検出装置１００では、バンド部３１（３２）に接続された第１の伸縮部２１，２２と、それに対応する第２の伸縮部３１０，３２０とを２セット有している構成例、換言すれば第１のバンド部３１に第１の伸縮部２１と第２の伸縮部３１０とを備え、第２のバンド部３２に第１の伸縮部２２と第２の伸縮部３２０とを備えた構成例を説明した。
【００７０】
これに比し、身体装着型の電子機器の第２実施形態に係る生体情報検出装置１０１は、図６Ａおよび図６Ｂに示すように、第１のバンド部３１を構成する第１のバンド本体１１に接続された第１の伸縮部２１と、それに対応する第２の伸縮部３１０を１セットだけ有している。即ち、図６Ａおよび図６Ｂに示すように、第２のバンド部１３２には、伸縮部が設けられておらず、第２のバンド本体１１２が、直接ケース部３０と接続されている。ここで、第１のバンド部３１に設けられている第１の伸縮部２１、および第２の伸縮部３１０の構成は、上述の第１実施形態の構成と同様であるため、説明を省略する、また、その他の構成についても、図１Ａおよび図１Ｂを参照して説明した第１実施形態の構成と同様であるため、説明を省略する。
【００７１】
このように、１セットの第１の伸縮部２１と第２の伸縮部３１０とを備えた第２実施形態に係る生体情報検出装置１０１によれば、それぞれ異なる平面に沿って形状が変化する第１の伸縮部２１、および第２の伸縮部３１０の二つの伸縮部により、種々の方向に対する伸縮が可能となるので、第１の伸縮部２１および第２の伸縮部３１０を含む伸縮部の強度を強くすることができる。これにより、伸縮部の破損などによる第１のバンド部３１の不具合の発生を抑止することが可能となる。
【００７２】
また、１セットの第１の伸縮部２１、および第２の伸縮部３１０を設ける構成でも、例えば被検体（被装着体）の腕の周径に合わせて、第１のバンド部３１を伸張させて、センサー部９０を所与の圧力で被検体に押し当てること等が可能になる。また、被検体が生体情報検出装置１０１を装着している間に、第１のバンド部３１および第２のバンド部１３２を巻き付けた部位の周径が変わった場合にも、第１の伸縮部２１、および第２の伸縮部３１０を自動的に伸長させて、センサー部９０を被検体に所与の圧力で押しつける状態を維持すること等も可能である。
【００７３】
このように、第１の伸縮部２１および第２の伸縮部３１０を含む１セットの伸縮部を備えた第２実施形態に係る生体情報検出装置１０１においても、第１実施形態に係る生体情報検出装置１００と同様な効果を奏する。
【００７４】
（バンドとケース部との取り付け構成）
ここで、図７Ａおよび図７Ｂを参照して、上述の第１実施形態および第２実施形態における、伸縮部を有するバンド部３１（３２）とケース部３０との取り付け（接続）例について説明する。図７Ａおよび図７Ｂは、バンド（伸縮部）のケースへの取付けを説明するための説明図であり、図７Ａは上面側から見た上面斜視図であり、図７Ｂは、上面から見た平面図（上面図）である。なお、図７Ａの上面斜視図は、図示の便宜上第２の伸縮部の接続部および一方の端部における上部壁（第４の壁部）を省略し、第１の伸縮部が視認できる状態を示している。また、図７Ａの上面斜視図は、バネ棒ＢＢを挿通する前の状態を示している。また、図７Ｂに示す平面図は、バネ棒ＢＢを挿通した後の取り付け状態を示している。
【００７５】
取り付けの具体例としては、図７Ａおよび図７Ｂに示すように、ケース部３０における取り付け部位に第１の孔部としての孔部ＨＬ１および孔部ＨＬ５が設けられている。また、バンド部３１（３２）の第１の伸縮部２１，２２の取り付け側の端部（第１の端部）２７，２８に第２の孔部としての孔部ＨＬ２およびＨＬ４が設けられ、第２の伸縮部３１０，３２０の取り付け側に位置する他方の端部（第２の端部）３１２，３２２に第３の孔部としての孔部ＨＬ３が設けられている。そして、これらの孔部ＨＬ１，ＨＬ２，ＨＬ３，ＨＬ４，ＨＬ５に、共通の棒部材（バネ棒）ＢＢが挿通されることで、取り付け位置において、バンド部３１（３２）の第１の伸縮部２１，２２および第２の伸縮部３１０，３２０が、ケース部３０に取り付けられることができる。
【００７６】
なお、バンド部３１（３２）とケース部３０との取り付け（接続）の構成は、上述例の第１の伸縮部２１，２２および第２の伸縮部３１０，３２０の取り付け部位を中央部に位置させ、その部位を挟む両側にケース部３０の取り付け部位が配置される構成に限定されるものではない。
【００７７】
他の構成例としては、例えば、中央部に第２の伸縮部３１０，３２０の取り付け部位（他方の端部３１２，３２２）を配置し、その両側にケース部３０の取り付け部位を配置し、さらにケース部３０の取り付け部位の両側に第１の伸縮部２１，２２の取り付け部位を配置するなど、多様な組み合わせによって構成することができる。このような構成においても、それぞれの孔部ＨＬ１，ＨＬ２，ＨＬ３，ＨＬ４，ＨＬ５に上述と同様な共通の棒部材（バネ棒）ＢＢが挿通されることで、取り付け位置においてバンド部３１（３２）とケース部３０とを取り付け（接続）できる。
【００７８】
（第２の伸縮部の変形例１）
次に、第２の伸縮部３１０，３２０の変形例１について、図８を参照しながら説明する。図８は、第２の伸縮部（一方の端部）の変形例１の構成を示し、図５ＡのＡ−Ａ断面に相当する断面図である。
【００７９】
上述した実施形態に係る第２の伸縮部３１０，３２０の一方の端部３３０，３４０は、第１の壁部３３２，３４２と、第２の壁部３３３，３４３と、検体の生体面に対向する側において第１の壁部３３２，３４２と第２の壁部３３３，３４３とを接続する第３の壁部３３１，３４１と、第３の壁部３３１，３４１の反対側に位置する第４の壁部３３４，３４４と、が繋がった一体で形成されている例で説明した。
【００８０】
これに対し、図８に示す本変形例１に係る第２の伸縮部３１０，３２０の一方の端部３３０ａ，３４０ａは、第２の壁部３３３，３４３と生体面ＬＦに対向する第３の壁部３３１，３４１との接続部分が、スリット状の分割部３３２Ｄ，３４２Ｄによって分断されている。即ち、変形例１に係る第２の伸縮部３１０，３２０の一方の端部３３０ａ，３４０ａは、第２の壁部３３３，３４３と第３の壁部３３１，３４１とが接続されず、分断されている構成を例示している。
【００８１】
このような構成の第２の伸縮部３１０，３２０の一方の端部３３０ａ，３４０ａによれば、第２の伸縮部３１０，３２０を一方の端部３３０ａ，３４０ａにおいて、バンド部３１（３２）に対する取り付けを容易に行うことが可能となる。具体的には、第３の壁部３３１，３４１に対し、分割部３３２Ｄ，３４２Ｄを境に、第２の壁部３３３，３４３や第４の壁部３３４，３４４側を開いて、バンド部３１（３２）にセットする。その後、開いていた第２の壁部３３３，３４３や第４の壁部３３４，３４４を元の位置に戻すことにより、バンド部３１（３２）に一方の端部３３０ａ，３４０ａ（第２の伸縮部３１０，３２０）を取り付けることができる。このように、リング状の一方の端部３３０ａ，３４０ａのように嵌め込み（押し込み）を行うことなく、容易に一方の端部３３０ａ，３４０ａ（第２の伸縮部３１０，３２０）を取り付けることができる。
【００８２】
（第２の伸縮部の変形例２）
次に、第２の伸縮部の変形例２について、図９Ａおよび図９Ｂを参照しながら説明する。図９Ａは、第２の伸縮部の変形例２の構成を示す正面斜視図であり、図９Ｂは、第２の伸縮部の変形例２の構成を示す背面斜視図である。
【００８３】
上述した実施形態では、第２の伸縮部３１０，３２０の接続部３１１，３２１の第２の方向ＤＲ２（図５Ｂ参照）の幅が、他方の端部３１２，３２２と略同じに設定された構成を例示した。
【００８４】
これに対し、図９Ａおよび図９Ｂに示されている変形例２に係る第２の伸縮部３１０ａ，３２０ａは、接続部３１１ａ，３２１ａの第２の方向ＤＲ２（図５Ｂ参照）の幅が、他方の端部３１２，３２２の幅より大きく設定されている。以下の説明では、接続部３１１ａ，３２１ａを中心に説明し、前述の実施形態と同様の構成は、同符号を付し、その説明を省略する。
【００８５】
具体的に、第２の伸縮部３１０ａ，３２０ａは、前述の実施形態と同様に、一方の端部３３０，３４０と、他方の端部３１２，３２２と、一方の端部３３０，３４０および他方の端部３１２，３２２を繋ぐ接続部３１１ａ，３２１ａと、を備えている。接続部３１１ａ，３２１ａは、前述の実施形態と同様に、一方の端部３３０，３４０と他方の端部３１２，３２２との間に位置し、第１の方向に沿って、一方の端部３３０，３４０と他方の端部３１２，３２２とを接続している。
【００８６】
接続部３１１ａ，３２１ａは、実施形態における接続部３１１，３２１の幅よりも大きな幅を有し、第４の壁部３３４，３４４からバンド部３１（３２）の上面１１ｆ，１２ｆ（図１Ａ参照）に沿って広がる板状をなし、上面１１ｆ，１２ｆと交差する方向に湾曲している。即ち、本変形例２の接続部３１１ａ，３２１ａは、実施形態における接続部３１１，３２１に比し平面積が広くなる。これにより、接続部３１１ａ，３２１ａは、平面方向における剛性が高くなるが、平面と交差する方向の剛性は大きく変わることが無い。したがって、接続部３１１ａ，３２１ａは、この湾曲部分で第１面としての上面１１ｆ，１２ｆと交差する平面に沿った方向（第３の方向）に形状を変化させることができる。
【００８７】
このような変形例２に係る第２の伸縮部３１０ａ，３２０ａによれば、薄板状に延展されている接続部３１１ａ，３２１ａの幅が広く設定されている。換言すれば、接続部３１１ａ，３２１ａの第２の方向ＤＲ２（図５Ｂ参照）に沿った長さが長くなるため、第２の方向ＤＲ２には、さらに変形を起こし難くなる。これにより、第１の伸縮部２１，２２の、伸長方向と異なる方向への動き、例えば第２の方向ＤＲ２への動きを、より抑制することができる。したがって、第１の伸縮部２１，２２が過度に捩じれたり傾いたりすることをより顕著に抑制することができ、過度の捩じれや傾きによる第１の伸縮部２１，２２の破損を抑制することが可能となる。また、被検体が動く場合でも、センサー部９０を所与の圧力で被検体に押し付けた状態を維持することが可能となり、その結果、センサー信号の誤検出を防ぐことが可能となる。
【００８８】
なお、接続部３１１ａ，３２１ａの幅寸法は、前述の実施形態および変形例２の設定に限らず、適宜設定することができる。例えば、接続部３１１ａ，３２１ａの幅寸法は、例えば、一方の端部３３０，３４０の幅と同じ幅とすることも可能である。
【００８９】
以上のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書または図面において、少なくとも一度、より広義または同義な異なる用語と共に記載された用語は、明細書または図面のいかなる箇所においても、その異なる用語に置き換えることができる。また、生体情報検出装置の構成、動作も本実施形態で説明したものに限定されず、種々の変形実施が可能である。
【符号の説明】
【００９０】
１１…第１のバンド本体、１１ｆ…第１面としての上面、１１ｒ…下面、１２…第２のバンド本体、１２ｆ…第１面としての上面、１２ｒ…下面、２１，２２…第１の伸縮部、２５，２６…切欠き、２７，２８…端部（第１の端部）、３０…ケースとしてのケース部、３１…バンドとしての第１のバンド部、３２…バンドとしての第２のバンド部、４０…固定部、５０…連結部、７０…表示部、８０…操作部、９０…センサー部、１００，１０１…身体装着型の電子機器としての生体情報検出装置、１１７…凹部としての貫通孔、２１７，２２７…突起部、３１０，３２０…第２の伸縮部、３１１，３２１…接続部、３１２，３２２…他方の端部（第２の端部）、３３０，３４０…一方の端部、３３１，３４１…第３の壁部、３３２，３４２…第１の壁部、３３３，３４３…第２の壁部、３３４，３４４…第４の壁部、ＨＬ１，ＨＬ５…第１の孔部としての孔部、ＨＬ２，ＨＬ４…第２の孔部としての孔部、ＨＬ３…第３の孔部としての孔部、ＦＴ…傾斜面、ＤＲ１…第１の方向、ＤＲ２…第２の方向、ＤＲ３…第３の方向。
【図１Ａ】
2017153767.tif 000003
【図１Ｂ】
2017153767.tif 000004
【図２Ａ】
2017153767.tif 000005
【図２Ｂ】
2017153767.tif 000006
【図３Ａ】
2017153767.tif 000007
【図３Ｂ】
2017153767.tif 000008
【図３Ｃ】
2017153767.tif 000009
【図４Ａ】
2017153767.tif 000010
【図４Ｂ】
2017153767.tif 000011
【図５Ａ】
2017153767.tif 000012
【図５Ｂ】
2017153767.tif 000013
【図５Ｃ】
2017153767.tif 000014
【図６Ａ】
2017153767.tif 000015
【図６Ｂ】
2017153767.tif 000016
【図７Ａ】
2017153767.tif 000017
【図７Ｂ】
2017153767.tif 000018
【図８】
2017153767.tif 000019
【図９Ａ】
2017153767.tif 000020
【図９Ｂ】
2017153767.tif 000021